(57)【要約】      （修正有）【課題】簡単な構成で容易かつ安価に製作でき、天板と脚を強固に連結できる天板と脚の連結構造を提供すること。【解決手段】天板２の下面に管状の下枠を取付ける。下枠の端部に挿入可能なジョイントと板状の楔片１４を備えた継手を設ける。楔片１４はその上面または下面若しくはその上下面にテーパ面１３ａ，１３ｂを形成する。楔片１４の側周面にテーパ面を形成する。脚５の上端部に一対の楔片１４を挿入可能な係合孔１３を形成した張出継手１２を取付ける。係合孔１３内の上面または下面若しくは上下面に楔片１４のテーパ面と係合可能なテーパ面を形成する。係合孔１３のテーパ面１３ａ、１３ｂに楔片１４を係合可能に挿入する。一対の楔片１４のテーパ面を接合部にボルト１８を挿入可能に設ける。ボルト１８の螺軸を係合孔の奥部に形成したネジ孔１９にねじ込む。一対の楔片１４を係合孔１３に圧接可能に取付けたこと。【選択図】図３
2019015324.tif 000002
【特許請求の範囲】
【請求項１】
天板の下面に脚の上端部を配置した天板と脚の連結構造において、天板の下面に管状の下枠を取付け、該下枠の端部に挿入可能なジョイントと板状の楔片を備えた継手を設け、前記楔片はその上面または下面若しくはその上下面にテーパ面を形成し、前記脚の上端部に一対の楔片を挿入可能な係合孔を形成した張出継手を取付け、前記係合孔内の上面または下面若しくは上下面に前記楔片のテーパ面と係合可能なテーパ面を形成し、前記係合孔のテーパ面に前記一対の楔片のテーパ面を係合可能に挿入し、前記一対の楔片の接合部にボルトを挿入可能に設け、該ボルトの螺軸を係合孔の奥部に形成したネジ孔にねじ込み、前記一対の楔片を前記係合孔に圧接可能に取付けたことを特徴とする天板と脚の連結構造
【請求項２】
前記一対の楔片の一側周面にテーパ面を形成するとともに、前記係合孔内の左右両側面にテーパ面を形成し、前記楔片の側周面のテーパ面を係合孔内の左右両側面のテーパ面に係合可能に挿入した請求項１記載の天板と脚の連結構造。
【請求項３】
前記一対の楔片の上下面と一側周面にテーパ面を形成するとともに、係合孔内の上下および左右両側面にテーパ面に形成し、前記一対の楔片を前記係合孔内の各テーパ面に係合可能に挿入した請求項１または２記載の天板と脚の連結構造。
【請求項４】
前記継手の両端部にジョイントと楔片を設けた請求項１記載の天板と脚の連結構造。
【請求項５】
前記天板の下面に二つの下枠の端部を離間して交差配置し、各下枠の端部に継手のジョイントを挿入し、各継手の楔片の接合部を接合して配置した請求項１記載の天板と脚の連結構造。
【請求項６】
前記一対の楔片の接合部にボルトを挿入可能な凹溝を対向配置した請求項１記載の天板と脚の連結構造。
【請求項７】
前記一対の楔片の接合部の一端に手指を挿入可能な切欠溝を形成した請求項１記載の天板と脚の連結構造。
【請求項８】
前記一対の楔片の接合部の一端に互いに係合可能なガイド溝と凸状ガイドを対向して形成した請求項１記載の天板と脚の連結構造。
【請求項９】
前記楔片の上面または下面若しくは側面のテーパ面を同一または相違して形成した請求項２記載の天板と脚の連結構造。
【請求項１０】
前記係合孔内の上面または下面若しくは左右両面のテーパ面を同一または相違して形成した請求項１記載の天板と脚の連結構造。
【請求項１１】
前記係合孔内の上下面のテーパ面のテーパ角度を、左右両面のテーパ面のテーパ角度より大きく形成した請求項１０記載の天板と脚の連結構造。
【発明の詳細な説明】
【技術分野】
【０００１】
本発明は、簡単な構成で容易かつ安価に製作でき、天板と脚を強固に連結できる天板と脚の連結構造に関する。
【背景技術】
【０００２】
従来、テーブルの天板の下面にブラケットを取付け、該ブラケットに脚を着脱可能に連結する構造において、ブラケットの内部にテーパ状の係合孔を設け、脚の上端部に前記係合孔に係合可能なテーパ状の係合部を設け、このブラケットまたは脚の一方の連結部にネジ部を設け、該ネジ部に筒状の連結リングを着脱可能にねじ込み、ブラケットまたは脚の他方の連結部に係止部を設け、該係止部に連結リングの開口縁を係合して脚を抜け止め、スパナ等の工具を要することなく、人力で脚を取付けるようにしたものがある（例えば、特許文献１参照）。
【０００３】
しかし、前記連結構造は、連結リングをブラケットのネジ部にねじ込むことによって、テーパ状の係合孔とテーパ状の連結部との密着状態を保持し得るが、その密着力の向上ないし増強には限界があり、経時的な使用によって密着力が低下し、ガタつきを生ずる惧れがあった。
【０００４】
前記問題を解決するものとして、天板のコ−ナ部にテーパ係合部を介して脚柱を取付けるようにし、該脚柱は、上端部に設けた一対のア−ムを天板のコ−ナ部を挟む両側縁に配置し、テーパ係合部は、天板の両側縁および脚柱のア−ムの何れか一方に凹形テーパ面と、他方に設けた凸形テーパ面とを備え、脚柱を天板の一端側にスライドさせ、凹形テーパ面に凸形テーパ面を係合して密着させ、凸形テーパ面側からボルトを差し込み、これを凹形テーパ面の底部に設けたナット部をねじ込んで緊締するようにしたものがある（例えば、特許文献２参照）。
【０００５】
しかし、前記天板と脚柱の連結機構は、天板のコーナ部に鋼板を断面略Ｖ字形に形成した凹形テーパ面を備えた側縁を取付け、その凹形テーパ面の底部にナット部の形成し、また鋼板を断面略山形に形成した凸形テーパ面の背板を設け、この一対の背板を脚柱の上端部に直交して配置するため、構成部材の製作が複雑で手間が掛かり、しかもこの構成は天板を支持する一本の脚柱の連結に限られるため、量産化に馴染まず高価になるという問題があった。
【０００６】
そこで、これらの問題を解決するものとして、天板の四隅に円錐形の嵌合穴を設け、その奥部にネジ部を設けるとともに、脚の上端部に円錐形の継手材を取付け、その先端部にボルトの先端部を突設し、前記継手材を嵌合穴に挿入し、ボルトの先端部をネジ部にねじ込んで脚を取付けるようにした脚の取付け構造がある（例えば、特許文献３参照）。
【０００７】
しかし、前記脚の取付け構造は、脚の取付け時の回動によって、継手材のテーパ面を嵌合穴のテーパ面に圧接して連結しているため、使用時に脚が横荷重を受けると、ボルトのネジ部と嵌合穴のネジ部の螺合状態が低下して、脚の取付けにガタを生じるという問題があった。
【先行技術文献】
【特許文献】
【０００８】
【特許文献１】特開平１１−２２５８２８号公報
【特許文献２】特許第２７２０７１９号公報
【特許文献３】特許第２８８５１２８号公報
【発明の概要】
【発明が解決しようとする課題】
【０００９】
本発明はこのような問題を解決し、簡単な構成で容易かつ安価に製作でき、天板と脚を強固に連結できる天板と脚の連結構造を提供することを目的とする。
【課題を解決するための手段】
【００１０】
請求項１の発明は、天板の下面に脚の上端部を配置した天板と脚の連結構造において、天板の下面に管状の下枠を取付け、該下枠の端部に挿入可能なジョイントと板状の楔片を備えた継手を設け、前記楔片はその上面または下面若しくはその上下面にテーパ面を形成し、前記脚の上端部に一対の楔片を挿入可能な係合孔を形成した張出継手を取付け、前記係合孔内の上面または下面若しくは上下面に前記楔片のテーパ面と係合可能なテーパ面を形成し、前記係合孔のテーパ面に前記一対の楔片のテーパ面を係合可能に挿入し、前記一対の楔片の接合部にボルトを挿入可能に設け、該ボルトの螺軸を係合孔の奥部に形成したネジ孔にねじ込み、前記一対の楔片を前記係合孔に圧接可能に取付け、前記ジョイントを介して下枠と天板を連結するとともに、前記楔片のテーパ面を係合孔内のテーパ面に係合可能に挿入し、前記一対の楔片をボルトを介して係合孔内に圧接し、一対の楔片による楔効果によって前記継手と張出継手を連結し、天板と脚を強固に連結し得るようにしている
【００１１】
請求項２の発明は、一対の楔片の一側周面にテーパ面を形成するとともに、前記係合孔内の左右両側面にテーパ面を形成し、前記楔片の側周面のテーパ面を係合孔内の左右両側面のテーパ面に係合可能に挿入し、楔片の一側周面に形成したテーパ面を係合孔内に形成した左右両側面のテーパ面に係合し、一対の楔片をボルトを介して係合孔内に圧接し、一対の楔片と係合孔内のテーパ面との楔効果によって強力に連結し得るようにしている。
請求項３の発明は、一対の楔片の上下面と一側周面にテーパ面を形成するとともに、係合孔内の上下および左右両側面にテーパ面に形成し、前記一対の楔片を前記係合孔内の各テーパ面に係合可能に挿入し、楔片と係合孔に設けた二種類のテーパ面による楔効果を複合的に作用させて、楔片と係合孔とを強固に連結し得るようにしている。
請求項４の発明は、継手の両端部にジョイントと楔片を設け、天板の下面に取付ける下枠に接続するジョイントと、脚に設けた張出継手に係合可能に挿入する楔片を介して、天板と脚を容易に連結し得るようにしている。
【００１２】
請求項５の発明は、天板の下面に二つの下枠の端部を離間して交差配置し、各下枠の端部に継手のジョイントを挿入し、各継手の楔片の接合部を接合して配置し、一対の楔片の内側面を対向して接合可能にし、該一対の楔片をコンパクトかつ整然と組み付けるようにしている。
請求項６の発明は、一対の楔片の接合部にボルトを挿入可能な凹溝を対向配置し、該凹溝を対向してボルト挿通孔を形成するようにしている。
請求項７の発明は、一対の楔片の接合部の一端に手指を挿入可能な切欠溝を形成し、一対の楔片を対向配置後、これらの間にボルトを挿入してネジ孔にねじ込む際、切欠溝に手指を挿入してボルトのねじ込みを実現可能にしている。
【００１３】
請求項８の発明は、一対の楔片の接合部の一端に互いに係合可能なガイド溝と凸状ガイドを対向して形成し、一対の楔片の位置ずれを防止し、一対の楔片を係合孔に確実かつ安全に挿入し得るようにしている。
請求項９の発明は、楔片の上面または下面若しくは側面のテーパ面を同一または相違して形成し、係合孔に対する楔片の接触面圧力ないし密着力を加減調整可能にしている。
請求項１０の発明は、係合孔内の上面または下面若しくは左右両面のテーパ面を同一または相違して形成し、楔片に対する上下方向または左右方向の接触面圧力ないし密着力を加減調整可能にしている。
請求項１１の発明は、係合孔内の上下面のテーパ面のテーパ角度を、左右両面のテーパ面のテーパ角度より大きく形成し、左右両面の楔片の接触圧力を上下面と係合孔内の上下面との間の接触圧力よりも増強し、その左右面に対する保持力を増強して、楔片の密着力を強化するようにしている。
【発明の効果】
【００１４】
請求項１の発明は、天板の下面に管状の下枠を取付け、該下枠の端部に挿入可能なジョイントと板状の楔片を備えた継手を設け、前記楔片はその上面または下面若しくはその上下面にテーパ面を形成し、前記脚の上端部に一対の楔片を挿入可能な係合孔を形成した張出継手を取付け、前記係合孔内の上面または下面若しくは上下面に前記楔片のテーパ面と係合可能なテーパ面を形成し、前記係合孔のテーパ面に前記一対の楔片のテーパ面を係合可能に挿入し、前記一対の楔片の接合部にボルトを挿入可能に設け、該ボルトの螺軸を係合孔の奥部に形成したネジ孔にねじ込み、前記一対の楔片を前記係合孔に圧接可能に取付けたから、前記ジョイントを介して下枠と天板を連結するとともに、前記楔片のテーパ面を係合孔内のテーパ面に係合可能に挿入し、前記一対の楔片をボルトを介して係合孔内に圧接し、一対の楔片による楔効果によって前記継手と張出継手を連結し、天板と脚を強固に連結することができる。
【００１５】
請求項２の発明は、一対の楔片の一側周面にテーパ面を形成するとともに、前記係合孔内の左右両側面にテーパ面を形成し、前記楔片の側周面のテーパ面を係合孔内の左右両側面のテーパ面に係合可能に挿入したから、楔片の一側周面に形成したテーパ面を係合孔内に形成した左右両側面のテーパ面に係合し、一対の楔片をボルトを介して係合孔内に圧接し、一対の楔片と係合孔内のテーパ面との楔効果によって強力に連結することができる。
請求項３の発明は、一対の楔片の上下面と一側周面にテーパ面を形成するとともに、係合孔内の上下および左右両側面にテーパ面に形成し、前記一対の楔片を前記係合孔内の各テーパ面に係合可能に挿入したから、楔片と係合孔に設けた二種類のテーパ面による楔効果を複合的に作用させて、楔片と係合孔とを強固に連結することができる。
請求項４の発明は、継手の両端部にジョイントと楔片を設けたから、天板の下面に取付ける下枠に接続するジョイントと、脚に設けた張出継手に係合可能に挿入する楔片を介して、天板と脚を容易に連結することができる。
【００１６】
請求項５の発明は、天板の下面に二つの下枠の端部を離間して交差配置し、各下枠の端部に継手のジョイントを挿入し、各継手の楔片の接合部を接合して配置したから、一対の楔片の内側面を対向して接合可能にし、該一対の楔片をコンパクトかつ整然と組み付けることができる。
請求項６の発明は、一対の楔片の接合部にボルトを挿入可能な凹溝を対向配置したから、凹溝を対向してボルト挿通孔を形成することができる。
請求項７の発明は、一対の楔片の接合部の一端に手指を挿入可能な切欠溝を形成したから、一対の楔片を対向配置後、これらの間にボルトを挿入してネジ孔にねじ込む際、切欠溝に手指を挿入してボルトのねじ込みを実現することができる。
請求項８の発明は、一対の楔片の接合部の一端に互いに係合可能なガイド溝と凸状ガイドを対向して形成したから、一対の楔片の位置ずれを防止し、一対の楔片を係合孔に確実かつ安全に挿入することができる。
請求項９の発明は、楔片の上面または下面若しくは側面のテーパ面を同一または相違して形成したから、係合孔に対する楔片の接触面圧力ないし密着力を加減調整することができる。
【００１７】
請求項１０の発明は、係合孔内の上面または下面若しくは左右両面のテーパ面を同一または相違して形成したから、楔片に対する上下方向または左右方向の接触面圧力ないし密着力を加減することができる。
請求項１１の発明は、係合孔内の上下面のテーパ面のテーパ角度を、左右両面のテーパ面のテーパ角度より大きく形成したから、左右両面の楔片の接触圧力を上下面と係合孔内の上下面との間の接触圧力よりも増強し、その左右面に対する保持力を増強して、楔片の密着力を強化することができる。
【図面の簡単な説明】
【００１８】
【図１】本発明を適用した会議用テ−ブルを示す斜視図である。
【図２】本発明の要部を拡大して示す斜視図である。
【図３】図２のＡ−Ａ線に沿う断面図で、若干拡大図示している。
【図４】図２のＢ−Ｂ線に沿う断面図である。
【図５】本発明の組み立て時の中途状況を示す斜視図である。
【００１９】
【図６】本発明の組み立て時の中途状況を示す斜視図で、交差する二つの下枠の端部に各継手のジョイントを挿入して一対の楔片を接合した状況を示している。
【図７】本発明の張出継手の端部に形成した係合孔を拡大して示す正面図である。
【図８】図７のＣ−Ｃ線に沿う部分断面図で、拡大して図示している。
【図９】図７のＤ−Ｄ線に沿う部分断面図で、拡大して図示している。
【図１０】本発明に適用した一方の継手を示す斜視図で、ジョイントを下枠に挿入する前の状況を示す斜視図である。
【００２０】
【図１１】図１０のＥ−Ｅ線に沿う断面図である。
【図１２】図１０のＦ−Ｆ線に沿う断面図で、若干拡大図示している。
【図１３】本発明に適用した一方の継手のジョイントを下枠に挿入した状況を示す斜視図である。
【発明を実施するための形態】
【００２１】
以下、本発明の実施形態を会議用テーブルに適用した図示の実施形態について説明すると、図１乃至図１３において１は会議用テーブルで、その横長矩形の天板２の下面の外側部に角管状の下枠３，４が交差して取付けられ、天板２の角部の下面に脚５の上端部が取付けられている。
前記脚５は矩形断面の鋼管で構成され、その下端部にゴム製のキャップ６が取付けられ、その上端部にアルミダイカスト製の接続ジョイント７が装着されている。
図中、８は脚５の上端内部に取付けた固定板で、その通孔９にボルト１０が挿入され、その螺軸を接続ジョイント７の下部に設けたネジ孔１１にねじ込んで、脚５を取付けている。
【００２２】
前記接続ジョイント７に角柱状の張出継手１２が側方に突出成形され、その内部に四角錐台形状の係合孔１３が形成され、この係合孔１３に後述する一対の楔片を圧接して挿入している。
前記係合孔１３は縦長矩形に開口され、その上下部は緩やかな山形に形成され、その四隅は小さな湾曲面状に形成されていて、その内部にアルミダイカスト製の一対の楔片１４，１５が圧入されている。
前記係合孔１３の内面は、その上下面１３ａ，１３ｂが奥部に傾斜する同様なテーパ状に形成され、その左右面１３ｃ，１３ｄが奥部に傾斜するテーパ状に形成されている。
【００２３】
実施形態の場合、上下面１３ａ，１３ｂによるテーパ角θａは、左右面１３ｃ，１３ｄによるテーパ角θｂよりも大きく形成され（θａ＞θｂ）、θａを約１８°に形成し、θｂを約６°に形成している。すなわち、楔片１４，１５の左右面と前記左右面１３ｃ，１３ｄとの間の接触圧力を、楔片１４，１５の上下面と前記上下面１３ａ，１３ｂとの間の接触圧力よりも約４倍増強し、その左右面に対する保持力を増強して、楔片１４，１５の密着力を強化している。
【００２４】
この場合、テーパ角θａとテーパ角θｂを同一に形成し、またはテーパ角θａとテーパ角θｂの何れか一方を０°にして平坦面に形成することも可能であり、要は楔片１４，１５に形成した上下または左右のテーパ面によって、強力な楔効果を獲得し強固な密着力を得れば良い。したがって、実施形態のように上下および左右のテーパ面によって楔効果を複合的に獲得すれば、前記密着力が倍増されることになる。
【００２５】
前記楔片１４，１５のを側面形状は、図５，８，１０のように等脚台形状に形成され、その上下面を、係合孔１３の上下面１３ａ，１３ｂと係合可能なテーパ面に形成されている。
前記楔片１４，１５の横断面形状は、図９のように横長の台形状に形成され、その外側の左右面を、係合孔１３の左右面１３ｃ，１３ｄと係合可能なテーパ面に形成している。
【００２６】
前記楔片１４，１５の接合部１４ａ，１５ａは平滑な平坦面に形成され、その接合面１４ａ，１５ａの一側に半円形断面の凹溝１６，１７が形成され、該凹溝１６，１７を接合した円形の貫通孔に、後述する切欠溝側からボルト１８が挿入されている。図中、１８ａはボルト１８の頭部に形成した六角孔状の係合孔である。
前記ボルト１８は、先端の螺軸を張出継手１２の奥部に形成したネジ孔１９にねじ込んで緊締し、楔片１４，１５を係合孔１３に密着して固定している。
前記楔片１４，１５は後述のガイド溝と凸状ガイドを含め、実質的に同一に構成され、その成形金型の共用化と部品製作の合理化、ないしそのメインテナンスの合理化を図るようにしている。
【００２７】
図中、２０はボルト１８の頭部の座面に配置したバネ座金、２１，２２は楔片１４の接合面１４ａの一端に平行して形成した横長矩形のガイド溝と同形の凸状ガイド２２で、それらの間に後述の切欠溝が形成されている。また、他方の楔片１５の接合面１５ａの一端にも、前述と同様なガイド溝２１と凸状ガイド２２が形成され、それらの間に別の切欠溝が形成されている。
【００２８】
前記ガイド溝２１と凸状ガイド２２とは、楔片１４，１５を接合して係合孔１３に挿入する際、これらを互いに嵌合して正確かつ確実に挿入するようにしている。
前記凹溝１６，１７の一端に臨ませて、大形で深底の切欠溝２３，２４が形成され、該切欠溝２３，２４に手指を挿入して前記ボルト１８を前記貫通孔に挿入可能にされ、組み立て後は天板２の下面に対向して配置されている。
【００２９】
前記楔片１４，１５の基端部に異形の継手２５，２６が一体成形され、その一端に張出継手１２の端面に係合可能な凸部２７，２８が突設され、それらの間に係合代ｅが設けられていて、楔片１４，１５による係合およびその調整を実行可能にしている。
前記継手２５，２６の先端部に、前記下枠３，４に挿入可能な角柱状のジョイント２９，３０が突設され、その内側周面にネジ孔３１，３２が形成され、該ネジ孔３１，３２に下枠３，４の通孔３５，３６を介して、ビス３３，３４がねじ込まれている。
図中、３７，３８は前記ジョイント２９，３０の長さ方向に形成した長孔で、該長孔３７，３８に連結ボルト３９，４０が挿入され、これを天板２に埋設したナット４１，４２にねじ込み、ジョイント２９，３０を天板２に連結可能にしている。
【００３０】
このように構成した天板と脚の連結構造は、天板２の下面に取付ける下枠３，４と、該下枠３，４にジョイント２９または３０を一端に突設し、他端にテーパ板状の楔片１４または１５を突設した継手２５，２６と、前記楔片１４，１５を挿入可能な係合孔１３を一端に形成し、他端に脚５の上端部と連結可能な軸筒部を設けた接続ジョイント７と、を備え、これらの製作を要する。
【００３１】
このうち、下枠３，４は鋼管を所定長さに切断し、その端部周面に通孔３５，３６および長孔３７，３８を形成して製作し、継手２５，２６はジョイント２９または３０と楔片１４または１５をアルミダイカストによって一体成形して製作し、接続ジョイント７は一端に係合孔１３を形成した張出継手１２と、他端の軸筒部をアルミダイカストによって一体成形して製作する。
【００３２】
前記係合孔１３の開口部を縦長矩形に形成し、その上下部は緩やかな山形に成形し、その四隅を小さな湾曲面状に成形し、その内側に一対の楔片１４，１５を密接して収容可能にする。
前記係合孔１３の内面は、その上下面１３ａ，１３ｂを奥部側に傾斜する同様なテーパ状に成形し、左右面１３ｃ，１３ｄを奥部側に傾斜する同様なテーパ状に成形する。
実施形態の場合、上下面１３ａ，１３ｂによるテーパ角θａを、左右面１３ｃ，１３ｄによるテーパ角θｂよりも大きく形成し（θａ＞θｂ）、θａを約１８°に形成し、θｂを約６°に形成する。
【００３３】
そして、楔片１４，１５の左右面と、前記左右面１３ｃ，１３ｄとの間の接触圧力を、楔片１４，１５の上下面と前記上下面１３ａ，１３ｂとの間の接触圧力よりも約４倍増強し、その左右面に対する保持力を増強して、楔片１４，１５の密着力を強化する。
【００３４】
前記楔片１４または１５は、その横断面形状を同様な等脚台形に成形し、その構成は接合部１４ａ，１５ａをガイド溝２１と凸状ガイド２２を除いて同様に成形し、その上下面を係合孔１３の上下面１３ａ，１３ｂと係合可能な同様のテーパ面に成形する。
また、外側の左右面を、係合孔１３の左右面１３ｃ，１３ｄと係合可能な同様のテーパ面に成形する。
前記楔片１４，１５の接合部１４ａ，１５ａを平滑な平坦面に成形し、その接合面の一側に半円形断面の凹溝１６，１７を形成し、それらの接合時に円形の貫通孔を形成可能にし、この貫通孔に切欠溝２３，２４側からボルト１８を挿入可能にする。
【００３５】
このように下枠３，４は鋼管を所定長さに切断し、その端部に通孔３５，３６および長孔３７，３８を形成する簡単な加工で良く、また継手２５，２６は楔片１４，１５をダイカスト成形し、接続ジョイント７は係合孔１３をダイカスト成形し、その奥部にネジ孔１９を形成するだけで良いから、これらを簡単で均質に製作し得る。
【００３６】
次に、前記構成部材を使用して脚５を天板２に連結する場合は、例えば一対の下枠３，４と継手２５，２６を用意し、下枠３，４の端部の開口部に継手２５，２６のジョイント２９，３０を挿入し、下枠３，４の内側周面からビス３３，３４をジョイント２９，３０のネジ孔３１，３２にねじ込み、下枠３，４にジョイント２９，３０を連結する。
【００３７】
この後、天板２の下面に一対の下枠３，４を互いに平行に配置し、下枠３，４の両端部の下面に開口した長孔３７，３８に連結ボルト３９，４０を挿入し、これを天板２に埋設したナット４１，４２にねじ込んで緊締し、ジョイント２９，３０を天板２に連結する。この状況は図６のようである。
【００３８】
一方、これと前後して脚５の上端部に接続ジョイント７の軸筒部を挿入し、脚５の下端部からボルト１０を挿入し、その螺軸を固定板８の通孔９に挿入し、これを接続ジョイント７のネジ孔１１にねじ込んで緊締し、脚５の上端部を接続ジョイント７に連結する。
その際、脚５の下端部から長尺のナットレンチ（図示略）を挿入し、これをボルト１０の頭部に係合して回動し、ボルト１０を通孔９に挿入して緊締する。この後、脚５の下端部にキャップ６を取付ける。この状況は図５のようである。
【００３９】
こうしてキャップ６を取付けた脚５を、天板２の下面に取付けた継手２５，２６と一体の楔片１４，１５側に移動し、張出継手１２の係合孔１３に楔片１４，１５を挿入する。この状況は図５のようである。
その際、楔片１４，１５は接合部１４ａ，１５ａを密着して接合し、接合部１４ａ，１５ａの中央に凹溝１６，１７を対向して配置し、それらでボルト１８に対する円形のボルト挿通孔を形成し、また各一対の凸状ガイド２をガイド溝２１に係合して、一体的に接合する。この状況は図１１，１２のようである。
【００４０】
このような状況の下で楔片１４，１５を尖端側から係合孔１３に挿入し、その奥部へ押し込むと、楔片１４，１５の上下側のテーパ部が係合孔１３の上下面１３ａ，１３ｂに係合し、楔片１４，１５の左右外側のテーパ部が係合孔１３の左右面１３ｃ，１３ｄに係合する。
この後、上方に開口した切欠溝２３，２４に手指を挿入し、保持したボルト１８を前記凹溝１６，１７を接合したボルト挿通孔に挿入し、その先端の螺軸を係合孔１３の奥部のネジ孔１９にねじ込んで緊締する。
【００４１】
このため、楔片１４，１５の各テーパ面が、係合孔１３の上下面１３ａ，１３ｂと左右面１３ｃ，１３ｄに係合し、それらの間の接触圧力が楔効果によって圧接され、それらが強固に密着する。
実施形態では楔片１４，１５の左右面と前記左右面１３ｃ，１３ｄとの間の接触圧力を、楔片１４，１５の上下面と前記上下面１３ａ，１３ｂとの間の接触圧力よりも約４倍増強し、その左右面に対する保持力を増強して、楔片１４，１５の密着力を強化している。
【００４２】
このようにして、継手２５，２６を介し、これと一体のジョイント２９，３０を介して天板２を連結し、また継手２５，２６と一体の楔片１４，１５を介して、張出継手１２ないし脚５を連結する。
【００４３】
こうして組み立てた会議用テーブル１は図１のようで、天板２の四隅の直下に脚５が垂直に取付けられ、脚５の上端部に接続ジョイント７が表出し、該ジョイント７と一体の張出継手１２の一部と下枠３，４が天板２の直下に表出し、その他の連結部材は天板２から遮蔽されている。したがって、組み立てた会議用テーブル１は簡潔な外観を呈する。
【００４４】
前記会議用テーブル１は、継手２５，２６と一体のジョイント２９，３０を介して、下枠３，４と天板２とが連結され、また継手２５，２６と一体の楔片１４，１５を介して、張出継手１２ないし脚５が連結され、ジョイント２９，３０を介して天板２を連結し、楔片１４，１５は張出継手１２の係合孔１３に強固に連結されているから、脚５と天板２が強固に連結される。
しかも、楔片１４，１５は係合孔１３の上下面１３ａ，１３ｂと左右面１３ｃ，１３ｄに対し、楔効果によって圧接され、脚５の上端部の動揺やガタの発生を阻止するから、脚５を長期に亘って安定して連結し、天板２の使用上の負荷に堪えられる。
【００４５】
一方、会議用テーブル１の構成部材を顧客へ発送する場合は、図５のように天板２の下面に下枠３，４を取付け、該下枠３，４の各端部に継手２５，２６と一体のジョイント２９，３０を挿入し、外側に一対の楔片１４，１５を接合した状態で梱包する。
また、脚５は上端部に張出継手１２と一体の接続ジョイント７を取付け、下端部にキャップ６を取付けた状態で梱包し、これを前記天板２の梱包と一緒または別個に梱包する。
したがって、顧客は梱包を開放後、楔片１４，１５を係合孔１３に挿入し、これらの間にボルト１８をねじ込んで緊締するだけで、簡便に組み立てられる。
【産業上の利用可能性】
【００４６】
このように本発明の天板と脚の連結構造は、簡単な構成で容易かつ安価に製作でき、天板と脚を強固に連結できるから、会議用テーブルの使用に好適である。
【符号の説明】
【００４７】
２                天板
３，４            下枠
５                脚
１３                係合孔
１３ａ，１３ｂ      テーパ面
１３ｃ，１３ｄ      テーパ面
【００４８】
１４，１５          楔片
１４ａ，１５ａ      接合部
１７，１８          凹溝
１８                ボルト
２１                ガイド澪
２２                凸状ガイド
２３，２４          切欠溝
【００４９】
２５，２６          継手
２９，３０          ジョイント
【図１】
2019015324.tif 000003
【図２】
2019015324.tif 000004
【図３】
2019015324.tif 000005
【図４】
2019015324.tif 000006
【図５】
2019015324.tif 000007
【図６】
2019015324.tif 000008
【図７】
2019015324.tif 000009
【図８】
2019015324.tif 000010
【図９】
2019015324.tif 000011
【図１０】
2019015324.tif 000012
【図１１】
2019015324.tif 000013
【図１２】
2019015324.tif 000014
【図１３】
2019015324.tif 000015